(57)【特許請求の範囲】
【請求項１】
ビニールハウスの出入口にドア本体を左右スライド自在に取付ける取付金具において、
前記ビニールハウスの前記出入口に敷設したパイプ状レール上を、前記ドア本体に軸架したコロにより前記パイプ状レール上を転動可能とし、
取付金具は、断面矩形または断面コ字状の一定長さに形成したスペーサ用取付基枠と、前記スペーサ用取付基枠の後壁を上方に延設して形成したブラケット板と、を有し、
前記ビニールハウスの前記出入口に前記パイプ状レールを敷設するに際して、前記出入口の左右に立設した左右縦柱に前記スペーサ用取付基枠をその前側から当接させた状態で固定し、前記ブラケット板の上部に前記パイプ状レールに囲繞装着した取付環体の合わせ片を挟着固定して前記パイプ状レールを前記左右縦柱に固定可能としたことを特徴とする取付金具。
【請求項２】
前記スペーサ用取付基枠の前後壁の一方または両方に、前記スペーサ用取付基枠を前記左右縦柱に固定するための締付用ボルトを挿貫するための挿貫孔を穿設したことを特徴とする請求項１に記載の取付金具。
【請求項３】
前記スペーサ用取付基枠は複数の前記挿貫孔を穿設し、前記締付用ボルトの挿貫位置を変位することにより前記左右縦柱に取付ける前記スペーサ用取付基枠の左右位置を調節自在としたことを特徴とする請求項２に記載の取付金具。
【請求項４】
前記ブラケット板の上部左右位置には前記取付環体を取付ける取付孔を穿設し、同取付孔を挿貫して前記合わせ片と前記ブラケット板とを一体重合して固定するためのボルトとにより前記取付環体を前記ブラケット板に固定するように構成したことを特徴とする請求項１乃至３のいずれか１項に記載の取付金具。
【発明の詳細な説明】
【技術分野】
【０００１】
本発明は、ビニールハウスの出入口にドア本体を左右スライド自在に取付ける取付金具に関する。
【背景技術】
【０００２】
従来、骨組みした骨組材にビニールシートを被覆止着して構成したビニールハウスにおいては、ハウスの妻面に形成した出入口に左右引戸タイプのドア本体を開閉自在に設けている（例えば、特許文献１を参照。）。
【０００３】
特許文献１におけるドア本体は方形枠状に構成されており、ドア枠の下端部に別途の下部フレームを連設し、下部フレームの内部において戸車を軸架している。そして、出入口の下縁にレール受け（取付金具）を介して横断面略ハット形状の下レールを敷設して、下レール上に戸車を介してスライド可能として出入口の開閉を行うことができるようになっている。
【先行技術文献】
【特許文献】
【０００４】
【特許文献１】特開平１１−２４３７９０号公報
【発明の概要】
【発明が解決しようとする課題】
【０００５】
上記特許文献１では、下レールをＵボルトで支柱に固定するためのレール受けは、上方開口で横断面略コ字状に形成され両端縁部を互いに内側に折曲して係止片を形成し、レール受けの内部に下レールを挿入しつつ係止片が上方から、Ｕボルトが下方から下レールを挟持固定するように構成しているため、シンプルな構造で下レールを敷設できる点で有利である。
【０００６】
ところが、下レールは横断面略ハット形状としているため、下レールに対する外力の方向に対して強い部分と弱い部分とが混在し、ドア本体の全荷重を長期的に保持するには適していなかった。また、ハット形状は長手方向の両切断面を側面とするため、該切断面は錆が発生しやすく、しかも該切断面は出入口に対して直行する方向に配設されるため、作業者が足を引っ掛けたり、切断面に足をぶつけたりして安全性の面で問題があった。
【０００７】
本発明は、以上のような事情に鑑みてなされたものであり、ビニールハウスの出入口にドア本体を左右スライド自在に取付けるためにパイプ状レールを用いて、このパイプ状レールをビニールハウスの骨組材を構成する縦柱に容易に取付けることができる取付金具を提供することにある。
【課題を解決するための手段】
【０００８】
以上のような目的を達成するために、本発明は以下のようなものを提供する。
【０００９】
請求項１に係る発明は、ビニールハウスの出入口にドア本体を左右スライド自在に取付ける取付金具において、前記ビニールハウスの前記出入口に敷設したパイプ状レール上を、前記ドア本体に軸架したコロにより前記パイプ状レール上を転動可能とし、取付金具は、断面矩形または断面コ字状の一定長さに形成したスペーサ用取付基枠と、前記スペーサ用取付基枠の後壁を上方に延設して形成したブラケット板と、を有し、前記ビニールハウスの前記出入口に前記パイプ状レールを敷設するに際して、前記出入口の左右に立設した左右縦柱に前記スペーサ用取付基枠をその前側から当接させた状態で固定し、前記ブラケット板の上部に前記パイプ状レールに囲繞装着した取付環体の合わせ片を挟着固定して前記パイプ状レールを前記左右縦柱に固定可能としたものである。
【００１０】
請求項２に係る発明は、前記取付金具において、前記スペーサ用取付基枠の前後壁の一方または両方に、前記スペーサ用取付基枠を前記左右縦柱に固定するための締付用ボルトを挿貫するための挿貫孔を穿設したものである。
【００１１】
請求項３に係る発明は、前記取付金具において、前記スペーサ用取付基枠は複数の前記挿貫孔を穿設し、前記締付用ボルトの挿貫位置を変位することにより前記左右縦柱に取付ける前記スペーサ用取付基枠の左右位置を調節自在としたものである。
【００１２】
請求項４に係る発明は、前記取付金具において、前記ブラケット板の上部左右位置には前記取付環体を取付ける取付孔を穿設し、同取付孔を挿貫して前記合わせ片と前記ブラケット板とを一体重合して固定するためのボルトとにより前記取付環体を前記ブラケット板に固定するように構成したものである。
【発明の効果】
【００１３】
請求項１記載の発明によれば、ビニールハウスの出入口にパイプ状レールを敷設するに際して、出入口の左右に立設した左右縦柱にスペーサ用取付基枠を介してブラケット板を立設し、ブラケット板の上部にパイプ状レールに囲繞装着した取付環体の合わせ片を挟着固定して前記パイプ状レールを左右縦柱に固定可能としたので、極めて簡単な構造で複数のパイプ状レールを連接して敷設することができる。
【００１４】
また、スペーサ用取付基枠の幅員分だけ縦柱の裏面と乖離させてブラケット板が配設されるので、パイプ状レールを縦柱から所定量乖離して設置でき、縦柱に対するドア本体の位置を容易に適正な箇所へと配設できる。
【００１５】
請求項２記載の発明によれば、前後壁の一方または両方に締付用ボルトを挿貫するための挿貫孔を穿設したので、取付金具を左右縦柱に容易に取付けることができる。
【００１６】
請求項３記載の発明によれば、スペーサ用取付基枠は複数の挿貫孔を穿設したので、締付用ボルトの挿貫位置を変位することにより左右縦柱に取付けるスペーサ用取付基枠の左右位置を調節自在とすることができる。
【００１７】
請求項４記載の発明によれば、ブラケット板の上部左右位置には取付環体を取付ける取付孔を穿設し、同取付孔を挿貫して合わせ片とブラケット板とを一体重合して固定するためのボルトとにより取付環体をブラケット板に固定するように構成したので、取付環体を左右縦柱の真後ろからずらして配設でき、左右縦柱が邪魔になることなくボルトの取付や締結を容易に行うことができる。
【図面の簡単な説明】
【００１８】
【図１】実施形態に係るビニールハウスの全体斜視図である。
【図２】（ａ）は載置型のドア構造のビニールハウスの内側から見たドア本体の構成を示す説明図で、（ｂ）は（ａ）のＡ−Ａ線断面図である。
【図３】実施形態に係る載置型のドア構造のドア本体の斜視図である。
【図４】中途部を省略した図２（ｂ）の拡大断面図である。
【図５】（ａ）は下片フレームの斜視分解図で、（ｂ）は底面図である。
【図６】ビニールハウスの外方から見た下辺フレームの端部側近傍を示した斜視図である。
【図７】ビニールハウスの外方から見た下辺フレームの端部側近傍を示した斜視図である。
【図８】実施形態に係る取付金具の斜視図である。
【図９】実施形態に係る取付金具の斜視図である。
【図１０】ビニールハウスの外方から見た上辺フレームの端部側近傍を示した斜視図である。
【図１１】ガイドレールを取付けるレールブラケットの斜視図である。
【図１２】（ａ）は吊戸型のドア構造のビニールハウスの内側から見たドア本体の構成を示す説明図で、（ｂ）は（ａ）のＡ−Ａ線断面図である。
【図１３】吊戸型のドア構造のビニールハウスの内側から見た間略図である。
【図１４】実施形態に係る吊戸型のドア構造のドア本体の斜視図である。
【図１５】中途部を省略した図１２（ｂ）の拡大断面図である。
【図１６】実施形態に係る案内係止ユニットの斜視図である。
【図１７】ビニールハウスの外方から見た上辺フレームの端部側近傍を示した斜視図である。
【発明を実施するための形態】
【００１９】
本発明の実施形態に係る取付金具の要旨は、ビニールハウスの出入口にドア本体を左右スライド自在に取付ける取付金具において、ビニールハウスの出入口に敷設したパイプ状レール上を、ドア本体に軸架したコロによりパイプ状レール上を転動可能とし、取付金具はスペーサ用取付基枠とブラケット板とで構成し、ビニールハウスの出入口にパイプ状レールを敷設するに際して、出入口の左右に立設した左右縦柱にスペーサ用取付基枠を介してブラケット板を立設し、ブラケット板の上部に前記パイプ状レールに囲繞装着した取付環体の合わせ片を挟着固定してパイプ状レールを左右縦柱に固定可能としたことを特徴とする。すなわち、ビニールハウスの出入口にドア本体を左右スライド自在に取付けるためにパイプ状レールを用いて、このパイプ状レールをビニールハウスの骨組材を構成する縦柱に容易に取付けることができる取付金具の提供を図ろうとするものである。
【００２０】
なお、本発明に係る取付金具は、載置型のドア構造と吊戸型のドア構造のいずれにも適用できるため、最初に載置型を説明し、その後吊戸型を説明する。
【００２１】
以下、本発明に係る取付金具の実施形態について図面を参照しながら説明する。また、本説明中において左右同一又は左右対称の構造や部品については、原則として同一の符号を付し、左右何れか一方のみを説明して、他方については説明を適宜省略する。
【００２２】
[載置型のドア構造]
図１に本発明の要旨である取付金具２７を用いたビニールハウスの外観を示している。図中、符号Ｈはビニールハウスを示しており、このビニールハウスＨは、複数の骨組材ｈを所定間隔で配設してアーチ形状の骨組みを構成し、その前面側には正面枠体２を、後面側には後面枠体３を設けて前後の妻面を形成している。なお、正面枠体２には適宜縦柱４と横柱５が格子状に骨組みされている。
【００２３】
正面枠体２により形成された妻面の中央にはハウス出入口ｍが形成されており、このハウス出入口ｍに左右のドア本体Ｍａ，Ｍｂが左右引戸構造で配設され、当該ハウス出入口ｍを開閉可能としている。なお、以下の記載において、左右のドア本体Ｍａ，Ｍｂをそれぞれ特に区別する必要のない場合は、単にドア本体Ｍとして表す。
【００２４】
また、ハウス出入口ｍの下方には本発明の要旨である取付金具２７を用いたパイプ状レール６を敷設している。すなわち、ハウス出入口ｍの左右に立設した縦柱４，４の縦柱下端部４−１間に、ドア本体Ｍａ，Ｍｂが左右スライド自在に載置されるようにパイプ状レール６を取り付けている。
【００２５】
また、ハウス出入口ｍの上方にガイドレール７を敷設している。すなわち、ドア本体Ｍａ，Ｍｂの上縁部が位置する左右の縦柱４，４間に、ドア本体Ｍａ，Ｍｂの上縁部を左右スライド自在に収納されるようにガイドレール７を取り付けている。なお、上述したパイプ状レール６とガイドレール７については後に詳述する。
【００２６】
ここで、正面枠体２に取り付けられたドア本体Ｍの構成を図２に示す。図２（ａ）は、ビニールハウスＨの内側から見たドア本体Ｍの構成を示す説明図で、図２（ｂ）は、正面枠体２および当該正面枠体２に取り付けられたドア本体ＭのＡ−Ａ断面図である。なお、図２（ｂ）においては、図面左がビニールハウスＨの内側、図面右がビニールハウスＨの外側となっている。
【００２７】
図３に示すように、ドア本体Ｍは上辺フレーム８と左右縦フレーム９，９と下辺フレーム１０とにより矩形状に構成している。また、上辺フレーム８と下辺フレーム１０との間には、２本の横桟１１，１１を左右縦フレーム９，９間に介設している。
【００２８】
また、各フレーム８，９，１０と横桟１１の各前側面には、別途設けた嵌め込み片１２を介して嵌着可能な嵌着リブ１３，１３を側壁とした嵌着溝１４を備え、ドア本体Ｍの外形よりも若干大きいビニールシートＳでドア本体Ｍの前側面を被覆しつつ嵌着溝１４にビニールシートＳを入れ込み、ビニールシートＳ上から嵌着溝１４に嵌め込み片１２を嵌着する。すなわち、嵌着リブ１３，１３の内側壁に嵌め込み片１２が押圧付勢するようにしてドア本体ＭにビニールシートＳを張設する。
【００２９】
下辺フレーム１０は下方開口の断面略コ字状の基枠Ｋ内において、下辺フレーム１０の左右端部近傍にコロ１５，１５を軸架し、該コロ１５がその下方に付設されたパイプ状レール６上を転動するように構成している。
【００３０】
また、上辺フレーム８の上面両端部近傍には水平回動自在の上ローラ１６，１６を軸架し、上辺フレーム８の上縁部を収納するガイドレール７の内側壁に上ローラ１６が当接摺動するように構成している。
【００３１】
このように構成されたドア本体Ｍとその周辺構造とによって左右スライド自在なドア構造１が構成されている。
【００３２】
以下、各部の具体的な構造についてドア構造１の下部について詳述した後、上部について詳述する。なお、ドア本体Ｍの構造は左右対称に現れるため、一方の側を示して説明し他方については適宜説明を省略する。
【００３３】
本実施形態に係るパイプ状レール６は、例えば、既存の円筒形状の鋼管、特に機械構造用炭素鋼管が用いられるが、塩ビパイプなどで形成することもでき、図２（ａ）に示すように、ハウス出入口ｍに敷設する出入口用レール６ａと、その左右に端部同士を突き合わせた状態で連接した固定レール６ｂとから構成している。
【００３４】
図４は、ドア本体Ｍ（中央部分を省略）の縦柱４への取り付け部分の構成を示した断面図である。なお、図面左がビニールハウスＨの内部側、図面右がビニールハウスＨの外部側となっている。また、図５（ａ）は下辺フレーム１０の分解斜視図、図５（ｂ）は下辺フレーム１０の底面図、図６はビニールハウスＨの外方から見た下辺フレーム１０の端部側とパイプ状レール６の取り付け構造を示した斜視図である。
【００３５】
ドア本体Ｍを構成する下辺フレーム１０は、図４、図５に示すように、下方開口の断面略コ字状の基枠Ｋにより構成すると共に、基枠Ｋにはドア本体Ｍに張設するビニールシートＳの取付が可能なシート装着部１７を設けると共に、基枠Ｋのコ字状の内外側板１８，１９間にはパイプ状レール６上を転動可能なコロ１５を軸架している。
【００３６】
具体的には、コ字状の基枠Ｋの内部には、鼓形状のコロ１５が先端に雄ネジ部を有する支軸２０を介してナット２１と螺着固定され回転自在に取付けられ、鼓形状のコロ１５は括れ部分がパイプ状レール６の上半部円弧状面に合致して該パイプ状レール６上を転動自在としている。また、コロ１５は基枠Ｋに対して２箇所配設しており、その位置は基枠Ｋの長手方向両端部よりも若干だけ内側としている。
【００３７】
また、基枠Ｋの内側板１８は、パイプ状レール６の側方にまで延設している。すなわち、内側板１８は、パイプ状レール６の下半部円弧状部分まで垂下延設され、パイプ状レール６とコロ１５との当接部分を内方から覆い、ドア本体Ｍが外側に脱落すること、及び外方からの外風をできるだけ遮断する機能を果すように構成している。
【００３８】
よって、コロ１５がパイプ状レール６に載置された状態において、内側板１８側（ハウス内側）からパイプ状レール６を見た場合、当該パイプ状レール６の少なくとも上側半分強は内側板１８で覆われた状態となっている。ここでは、内側板１８はパイプ状レール６の下半部円弧状部分に達する位置まで垂下延設している。
【００３９】
シート装着部１７は、基枠Ｋ上面に基枠Ｋに沿って立設したシート取付プレート２２と該取付プレート２２の外側面にビニールシート端縁を、別途設けた嵌め込み片１２（図３参照）を介して嵌着するために一定間隔を保持して突設した上下リブ１３ａ，１３ａとより構成している。
【００４０】
また、図７に示すように基枠Ｋ上面の両端部には縦フレーム９を立設するため、図５、図６に示すように当該部分にはシート取付プレート２２を形成していない。すなわち、基枠Ｋと縦フレーム９との連接部分は基枠Ｋ上面の両端部となる。
【００４１】
また、図３、図４、図７に示すように、基枠Ｋの外側板１９の所定箇所にはパイプ状レール６の側方にまで延設した規制板２３を着脱自在に付設している。規制板２３は矩形板状に形成し、長手方向を上下として上部の短辺側中央部を略直角に折曲して回動防止片２４を形成すると共に、平板面の略中央には固定ボルト２５を挿通するためのボルト挿通孔（図示せず）を穿設している。回動防止片２４の幅員は縦フレーム９に形成された嵌着溝１４の開口幅員よりも若干狭く形成している。
【００４２】
このように形成した規制板２３は、左右縦フレーム９，９と基枠Ｋとの連設箇所に付設される。具体的には、縦フレーム９の嵌着溝１４に回動防止片２４を挿入係合しつつ、基枠Ｋの外側板１９に形成された雌ネジ孔２６と規制板２３のボルト挿通孔とが連通連接するように、外側板１９の側面と規制板２３の側面とを当接させ、固定ボルト２５によって螺着固定している。
【００４３】
このように、下辺フレーム１０は、下方開口の断面略コ字状の基枠Ｋにより構成し、基枠Ｋのコ字状の内外側板１８，１９間にはパイプ状レール６を転動可能なコロ１５を軸架したことで、ドア本体Ｍの下端部に別途の支持枠を設けることなく下辺フレーム１０のみでドア本体Ｍの枠体の一部を構成しつつコロ１５を軸架できるので、当該部分にビニールハウスＨの内外と繋がる間隙が生じないため、温度管理されたビニールハウスＨ内の温度環境の安定化を図ることができる。
【００４４】
また、下辺フレーム１０の下端にコロ１５を軸架するための別途の支持枠を設ける必要がないので、ビニールハウスＨの部品数を削減できコスト面で有利であると共に、ビニールハウスＨの組立性も向上させることができる。
【００４５】
また、下辺フレーム１０は、下方開口の断面略コ字状の基枠Ｋにより構成すると共に、基枠Ｋにはドア本体Ｍに張設するビニールシートＳの取付が可能なシート装着部１７を設けているので、シート装着部１７を別途連設等する必要がなく、部品数の削減とビニールハウスＨの組立性の向上を図ることができる。
【００４６】
更に、シート装着部１７は、基枠Ｋ上面に基枠Ｋに沿って立設したシート取付プレート２２と該取付プレート２２の外側面にビニールシートＳ端縁を、別途設けた嵌め込み片１２を介して嵌着するために一定間隔を保持して突設した上下リブ１３ａ，１３ａとより構成したので、上下リブ１３ａ，１３ａの内側壁に嵌め込み片１２が押圧付勢してビニールシートＳを確実に張設できる。
【００４７】
また、基枠Ｋの内側板１８は、パイプ状レール６の側方にまで延設しているので、ビニールハウスＨ内が陽圧となってコロ１５をパイプ状レール６から持ち上げる浮揚力が発生してもコロ１５がビニールハウスＨの外側に脱輪することを防止できる。
【００４８】
また、基枠Ｋの外側板１９の所定位置にパイプ状レール６の側方にまで延設した規制板２３を着脱自在に付設しているので、規制板２３を装着せずにビニールハウスＨ内からドア本体Ｍをガイドレール７とパイプ状レール６間に取付けることができ、その後、規制板２３を装着することで、パイプ状レール６とコロ１５周面との当接面に外方からの外風が侵入してコロ１５をパイプ状レール６から持ち上げる浮揚力が発生してもコロ１５が内側に脱輪することを防止できる。
【００４９】
また、基枠Ｋに規制板２３を付設する所定位置としては、左右縦柱４，４と基枠Ｋとの連設箇所としたことで、コロ１５のビニールハウスＨの内側への脱輪に対して下辺フレーム１０の長手方向全長に渡って規制板２３を設ける必要がないので、部材コストを低廉に抑えることができる。
【００５０】
更に、規制板２３に形成した回動防止片２４の幅員は、縦フレーム９の嵌着溝１４の開口幅員と略同幅員に形成し、嵌着溝１４の内部に挿入係合しているので、規制板２３を回動しようとする何らかの外力が規制板２３に加わっても、回動防止片２４と嵌着溝１４との係合により規制板２３の意図しない回動を防止することができる。また、規制板２３を基枠Ｋに固定する固定ボルト２５の締付が緩んだ場合でも、同様に規制板２３の回動を防止できる。
【００５１】
次に、ドア構造１の上部について詳述する。なお、ドア本体Ｍの構造は左右対称に現れるため、一方の側を示して説明し他方については適宜説明を省略する。
【００５２】
ハウス出入口ｍの上方には図２（ａ）、（ｂ）、図３に示すようにガイドレール７を敷設している。すなわち、ドア本体Ｍａ，Ｍｂの上縁部が位置する左右縦柱４，４間に、ドア本体Ｍａ，Ｍｂの上縁部を左右スライド自在に収納されるようにガイドレール７を取り付けている。
【００５３】
ガイドレール７は下方開口の断面コ字状に形成され、ハウス出入口ｍの下部に敷設したパイプ状レール６と対向するように配設されている。このガイドレール７は、パイプ状レール６と略同一長さとしており、レールブラケット６０を介して正面枠体２の縦柱４に取付けられている。
【００５４】
レールブラケット６０は図４、図１０、図１１に示すように、断面略台形状に形成した固定用基枠６１と固定用基枠６１から垂設したレール当接片６２とで構成している。具体的に固定用基枠６１は、互いに平行な上底片６３と下底片６４を左右方向としたときに下方に位置する下脚片６５は上下底片６３，６４と直角をなし、上脚片６６は上底片６３に向けて下方へ緩やかに傾斜している。
【００５５】
また、上下底片６３，６４にはブラケット締結用Ｕボルト６７を挿貫するためのＵボルト挿貫孔６８を穿設している。このように形成することで、下底片６４を縦柱４の裏面と当接してビニールハウスＨ外方からブラケット締結用Ｕボルト６７と蝶頭ナット６９で固定用基枠６１を螺着固定する。
【００５６】
レール当接片６２は固定用基枠６１の上底片６３を下方に延設すると共に、下端縁を内側に折曲して係止片７０を形成している。すなわち、レール当接片６２と下脚片６５とは直角をなしている。
【００５７】
このように形成したレールブラケット６０は、固定用基枠６１の下脚片６５とレール当接片６２と縦柱４の裏面とで形成する空間にガイドレール７の一部が固定される。
【００５８】
また、レールブラケット６０を介して縦柱４に固定されたガイドレール７のコ字状の内部にドア本体Ｍの上辺フレーム８の上縁部をスライド自在に収納すると共に、上辺フレーム８の上面に直径Ｄが上辺フレーム８の幅員ｗより大とした水平回動の上ローラ４１を軸架し、上辺フレーム８のスライド時に上ローラ４１がガイドレール内側壁と当接摺動して転動することにより上辺フレーム８の上縁部がガイドレール内側壁に当接しないように構成している。
【００５９】
具体的には、図３、図４に示すように上辺フレーム８の上面の両端部近傍に軸孔（図示せず）を穿設し、軸孔には軸線を鉛直方向とした軸ボルト４２をボルト頭部が上側となるようにして挿貫し、上下方から上下取付ナット４３，４４で固定している。また、軸ボルト４２の頭部側には雄ネジを形成しないネジ無し部４５を形成しており、上取付ナット４３の上方にネジ無し部４５が位置する。
【００６０】
上ローラ４１は平面視円形で断面視で上方開口のコ字状に形成し、中央部には軸挿通孔４６を穿設している。また、軸挿通孔４６の内径は軸ボルト４２の頭部側のネジ無し部４５の直径よりも広く形成している。更に、ネジ無し部４５の有効長さは軸挿通孔４６の深さよりも長く形成しているので、上ローラ４１は軸ボルト４２周りに水平回動自在となる。
【００６１】
このように、ハウス出入口ｍ上方に敷設したガイドレール７は、下方開口の断面コ字状に形成し、コ字状の内部にドア本体Ｍの上辺フレーム８の上縁部をスライド自在に収納すると共に、上辺フレーム８の上面に直径Ｄが上辺フレーム８の幅員ｗより大とした水平回動の上ローラ４１を軸架し、上辺フレーム８のスライド時に上ローラ４１がガイドレール７内側壁と当接摺動して転動することにより上辺フレーム８の上縁部がガイドレール７内側壁に当接しないように構成しているので、ドア本体Ｍの開閉時に上辺フレーム８がガイドレール７内側壁と接触することによる異音やキズの発生を防止することができ、ドア本体Ｍを左右にスムーズにスライドさせることができる。
【００６２】
次に、本発明の要旨である取付金具２７について詳述する。
【００６３】
ビニールハウスＨの出入口ｍ下方にパイプ状レール６ａを敷設するに際しては、図４、図６、図７に示すように、ハウス出入口ｍの左右に立設した左右縦柱４，４にスペーサ用取付基枠２８を介してブラケット板２９を立設した取付金具２７を用いている。そして、ブラケット板２９の上部にパイプ状レール６に囲繞装着した取付環体５０の合わせ片５１，５１を挟着固定している。なお、合わせ片５１，５１には各々環体取付ボルト５２用挿貫孔（図示せず）を穿設している。
【００６４】
取付金具２７のスペーサ用取付基枠２８は、図８（ａ）に示すように、断面矩形の一定長さに形成し、前後壁３０，３１の両方に締付用ボルト３２として締付用Ｕボルト３２ａを挿貫するための挿貫孔３４を各２箇所穿設している。なお、挿貫孔３４は締付用ボルト３２を挿貫し易くするため、及び締付用ボルト３２の精度誤差を吸収するために、横長の長孔とすることが望ましい。
【００６５】
また、取付金具２７は、図８（ｂ）に示すように挿貫孔３４を前後壁３０，３１に３箇所以上複数設けた取付金具２７ａとすれば、締付用Ｕボルト３２ａの挿貫位置を変位することにより左右縦柱４，４に取付けるスペーサ用取付基枠２８の左右位置を調節自在とすることができる。また、挿貫孔３４は、図８（ｃ）に示すように前後壁３０，３１に各１箇所とした取付金具２７ｂであってもよい。この場合、取付金具２７と縦柱４との接続は、締付用Ｕボルト３２ａではなく一本の挿貫ボルト（図示せず）を用いて縦柱４に別途設けた貫通孔（図示せず）に挿貫して固定する。
【００６６】
また、ブラケット板２９は、スペーサ用取付基枠２８の後壁３１を上方に延設して矩形板状に形成している。ブラケット板２９の上部に合わせ片５１，５１を介してパイプ状レール６に囲繞装着する取付環体５０の取付位置は、ブラケット板２９の上部左右位置とすると共に、ブラケット板２９の上部左右位置に穿設した取付孔３５と同取付孔３５と合わせ片５１，５１の環体取付ボルト５２用挿貫孔（図示せず）とを連通連設させ挿貫して合わせ片５１，５１とブラケット板２９とを一体重合して固定するための環体取付ボルト５２と蝶頭ナット５３とにより取付環体５０をブラケット板２９に固定するように構成している。
【００６７】
なお、取付金具２７は図９に示すように、矩形板状の下部を前方に略直角に折曲してスペーサ下片３６を形成し、且つ上部の中央部をスペーサ下片３６と同長さだけ前方に折曲してスペーサ上片３７を形成してもよい。すなわち、取付金具２７ｃのスペーサ上下片３６，３７と後壁３１とで形成された断面コ字状部分はスペーサ用取付基枠２８に相当する。
【００６８】
取付金具２７ｃをこのように形成することで、スペーサ上下片３６，３７の前端部を縦柱４に当接でき、しかも折曲していない上部の左右片３８，３８をブラケット板２９として用いることができる。よって、後壁３１に挿貫孔３４を穿設し、左右片３８，３８に取付孔３５，３５を穿設することで上述した取付金具２７，２７ａ，２７ｂと同様の機能と効果を果す。
【００６９】
また、取付金具２７，２７ａ，２７ｂ，２７ｃは、図８（ａ）、図９に示すように、縦柱４の形状がパイプ状や角パイプ状の何れであっても、使用する締付用Ｕボルト３２ａ，３２ｂの形状を変えるだけで同様に対応できる。
【００７０】
次に、取付金具２７のスペーサ用取付基枠２８を縦柱４に固定するに際しては、図８（ａ）に示すように、締付用Ｕボルト３２ａの雄ネジ部３９，３９がビニールハウスＨの内方に向くようにビニールハウスＨの外方から縦柱４周面に当接させる。そして、ブラケット板２９が縦柱４と乖離するようにスペーサ用取付基枠２８の前壁３０を縦柱４の裏面側に当接しつつ挿貫孔３４，３４に雄ネジ部３９，３９側を挿貫し蝶頭ナット４０，４０で螺着する。
【００７１】
このように、スペーサ用取付基枠２８を縦柱４に固定するに際して、ブラケット板２９が縦柱４と乖離するように固定することで、図４、図６に示すように縦柱４の裏面側とブラケット板２９との間に一定のスペースＷを得ることができる。
【００７２】
また、ブラケット板２９への取付環体５０の取付に際しては、図４、図６に示すように、ブラケット板２９の上部左右位置に穿設した取付孔３５，３５のいずれかの位置に、合わせ片５１，５１とブラケット板２９とを一体重合し、環体取付ボルト５２をスペースＷ側（縦柱側）から挿貫して蝶頭ナット５３により仮固定する。なお、ブラケット板２９の２つの取付孔３５，３５は縦柱４や他の部材との干渉等でビニールハウスＨの組立作業時に有利となるか、組立完成後に邪魔とならないよう、使用する取付孔３５を適宜選択して用いることができる。
【００７３】
また、取付環体５０へのパイプ状レール６の取付に際しては、図６に示すように、取付環体５０内の約半分の領域に一方のパイプ状レール６ｂの端部を挿入し、他方のパイプ状レール６ａの端面が一方のパイプ状レール６ｂの端面と当接するように取付環体５０内に挿入する。その後、環体取付ボルト５２に螺着した蝶頭ナット５３を締結することで、ブラケット板２９の上方にパイプ状レール６を敷設することができる。
【００７４】
このように、ビニールハウスＨのハウス出入口ｍにパイプ状レール６を敷設するに際して、ハウス出入口ｍの左右に立設した左右縦柱４，４にスペーサ用取付基枠２８を介してブラケット板２９を立設し、ブラケット板２９の上部にパイプ状レール６に囲繞装着した取付環体５０の合わせ片５１を挟着固定してパイプ状レール６を左右縦柱４，４に固定可能としたことで、極めて簡単な構造で複数のパイプ状レール６を連接して敷設することができる。
【００７５】
また、スペーサ用取付基枠２８の幅員分だけ縦柱４の裏面と乖離させてブラケット板２９が配設されるので、パイプ状レール６を縦柱４から所定量乖離して設置でき、縦柱４に対するドア本体Ｍの位置を容易に適正な箇所へと配設できる。
【００７６】
また、スペーサ用取付基枠２８は断面矩形または断面コ字状の一定長さに形成し、前後壁３０，３１の一方または両方に締付用ボルト３２を挿貫するための挿貫孔３４を穿設したので、取付金具２７を左右縦柱４に容易に取付けることができる。
【００７７】
また、スペーサ用取付基枠２８は複数の挿貫孔３４を穿設したので、締付用ボルト３２の挿貫位置を変位することにより左右縦柱４，４に取付けるスペーサ用取付基枠２８の左右位置を調節自在とすることができる。
【００７８】
また、ブラケット板２９の上部左右位置には取付環体５０を取付ける取付孔３５を穿設し、同取付孔３５を挿貫して合わせ片５１とブラケット板２９とを一体重合して固定するための環体取付ボルト５２とにより取付環体５０をブラケット板２９に固定するように構成したので、取付環体５０を左右縦柱４，４の真後ろからずらして配設でき、左右縦柱４，４が邪魔になることなく環体取付ボルト５２の取付や締結を容易に行うことができる。
【００７９】
[吊戸型のドア構造]
次に、吊戸型のドア構造１００における取付金具２７の実施形態について説明する。なお、ビニールハウスＨの全体構造や、ドア本体Ｍの構造等、上述した載置型のドア構造１と共通する部分は同一の符号を付すと共に、説明を適宜省略する。
【００８０】
図１２（ａ）は本実施形態に係る吊戸型のドア構造１００のビニールハウスＨの正面枠体２により形成された妻面をビニールハウスＨの内側から見た図を示し、図１２（ｂ）は図１２（ａ）のＡ−Ａ線断面図で、図１３は妻面の簡易図で、図１４はドア本体Ｍの斜視図で、図１５は中途部を省略した図１２（ｂ）の拡大断面図で、図１６は案内係止ユニット１４０の斜視図である。
【００８１】
図１２（ａ）、図１３に示すように、正面枠体２により形成された妻面の中央にはハウス出入口ｍが形成されており、このハウス出入口ｍに左右のドア本体Ｍａ，Ｍｂが左右引戸構造で配設され、当該ハウス出入口ｍを開閉可能としている。
【００８２】
また、ハウス出入口ｍの下方には本発明の要旨である取付金具２７を用いたパイプ状レール６をドア本体Ｍａ，Ｍｂの端部側に若干だけ位置するように敷設している。すなわち、ハウス出入口ｍの左右に立設した縦柱４，４の縦柱下端部４−１から、ドア本体Ｍａ，Ｍｂ側にパイプ状レール６を若干だけ突出させて突出部１０５を形成している。また、パイプ状レール６を有さない領域をレール無し部１０６としている。
【００８３】
また、ドア本体Ｍを閉蓋した際に妻面の中央部となる地面Ｇ側には、ドア本体Ｍの下縁部の一部を前後から案内して挟持する案内係止ユニット１４０が埋設されている。
【００８４】
また、ハウス出入口ｍの上方に吊下げガイドレール１１０を敷設している。すなわち、ドア本体Ｍａ，Ｍｂの上縁部が位置する左右の縦柱４，４間に、ドア本体Ｍａ，Ｍｂの上面に垂直回動の保持ローラ１１１を軸架して上下スライド自在に収納されるように吊下げガイドレール１１０を取り付けている。なお、上述したパイプ状レール６と吊下げガイドレール１１０については後に詳述する。
【００８５】
図１４、図１５に示すように、ドア本体Ｍの下辺フレーム１０は下方開口の断面略コ字状の基枠Ｋを備え、基枠Ｋの下方に付設された本発明の要旨である取付金具２７を用いたパイプ状レール６を囲繞しながら移動するように構成している。
【００８６】
また、上辺フレーム８の上面両端部近傍には垂直回動自在の保持ローラ１１１，１１１を軸架し、保持ローラ１１１を収納する吊下げガイドレール１１０の内底面に保持ローラ１１１が当接転動するように構成している。すなわち、ドア本体Ｍは、保持ローラ１１１が吊下げガイドレール１１０内に保持された状態となって左右スライド自在に吊下げられている。
【００８７】
このように構成されたドア本体Ｍとその周辺構造とによって左右スライド自在なドア構造１００が構成されている。
【００８８】
以下、各部の具体的な構造についてドア構造１００の下部について詳述した後、上部について詳述する。なお、ドア本体Ｍの構造は左右対称に現れるため、一方の側を示して説明し他方については適宜説明を省略する。
【００８９】
図１５は、ドア本体Ｍ（中央部分を省略）の縦柱４への取り付け部分の構成を示した断面図である。なお、図面左がビニールハウスＨの内部側、図面右がビニールハウスＨの外部側となっている。
【００９０】
パイプ状レール６は、図１２（ａ）に示すようにハウス出入口ｍの左右に立設した縦柱４，４の縦柱下端部４−１からドア本体Ｍａ，Ｍｂ側に形成した突出部１０５のみが、ドア本体Ｍを閉蓋した際に下辺フレーム１０の下方に位置するように構成している。
【００９１】
ドア本体Ｍを構成する下辺フレーム１０は、上述した載置型のドア構造１におけるドア本体Ｍと同形状であり、基枠Ｋ内にコロ１５を備えていない点で異なる。すなわち、ドア本体Ｍは吊戸となっているため、下辺フレーム１０は下方に一部敷設されたパイプ状レール６とは原則的に接触せず、基枠Ｋがパイプ状レール６を囲繞したまま左右に移動自在とし、パイプ状レール６はあくまでもドア本体Ｍが前後に振れた際の案内の役割を果す。
【００９２】
従って、基枠Ｋが突出部１０５を囲繞していれば、ドア本体Ｍの閉蓋時に下辺フレーム１０の大部分がレール無し部１０６に位置していても、外風の影響等でドア本体ＭのビニールハウスＨ内への揺れを防止できる。
【００９３】
また、案内係止ユニット１４０は、図１６に示すように長手方向の両端部が外側に湾曲した矩形板状の案内板１４１と案内板１４１を地面Ｇに固定するためのアンカー１４３とで構成され、案内板１４１の湾曲した内側面にはアンカー１４３を挿貫するための両端開口で筒状のアンカーガイド１４２が開口部を上下として案内板１４１に溶接固定されている。
【００９４】
また、アンカー１４３は先端先鋭で丸棒状のアンカー部１４４とアンカー部１４４の直径よりも大きく、アンカーガイド１４２の内径よりも大きな頭部１４５を形成している。従って、図１４に示すように地面に案内係止ユニット１４０を固定するに際しては、案内板１４１の長手方向を地面Ｇに当接させつつアンカーガイド１４２に挿通したアンカー１４３の頭部１４５をハンマー（図示せず）等で衝打することで、頭部１４５がアンカーガイド１４２内に入り込むことなくアンカーガイド１４２の上端部で停止する。
【００９５】
また、案内係止ユニット１４０の配設位置としては、ドア本体Ｍの下縁部がスライドする軌道上で、しかも、ドア本体Ｍを閉蓋したときに左右ドア本体Ｍａ，Ｍｂの端面が当接する位置に跨るようにして２つの案内係止ユニット１４０を対向配置する。
【００９６】
なお、対向配置した案内係止ユニット１４０，１４０の案内板１４１，１４１の内側間距離は、ドア本体Ｍの厚み方向の幅員と略同幅に配置することで、ドア本体Ｍをガタなく挟持して係止固定できる。
【００９７】
以上のように、パイプ状レール６の突出部１０５と案内係止ユニット１４０，１４０を上述のように構成することで、ドア本体Ｍの下辺フレーム１０がこれらのいずれかと必ず関わることになるため、ドア本体Ｍへの外風の影響やビニールハウスＨ内の陽・陰圧の影響によってもドア本体ＭがビニールハウスＨの内外に傾動することを規制できる。
【００９８】
また、ハウス出入口ｍの下方の大部分がレール無し部１０６となっているので、ハウス出入口ｍによる作業者の出入りの際に、パイプ状レール６に足を引っ掛けたりすることを防止でき、更に、わざわざパイプ状レール６を取り外すことなく台車（図示せず）やトラクタ（図示せず）等をそのままビニールハウスＨ内に移動させることができる。
【００９９】
なお、図１４、図１５に示すように、上述した載置型のドア構造１と同様に、下辺フレーム１０に規制板２３を設けてもよい。また、規制板２３は下辺フレーム１０の両端部、または一方のみに設けてもよいが、少なくとも突出部１０５に近い側の端部に設けることが望ましい。
【０１００】
規制板２３を設けることで、下辺フレーム１０の基枠Ｋのみでは抑制することが厳しい強い外風等の影響によるドア本体Ｍの揺れや傾動を防止できる。
【０１０１】
このように、本発明の要旨である取付金具２７は、吊戸型のドア構造１００においても同様にパイプ状レール６を縦柱４に容易に固定することができる。
【０１０２】
次に、吊戸型のドア構造１００の上部について詳述する。なお、ドア本体Ｍの構造は左右対称に現れるため、一方の側を示して説明し他方については適宜説明を省略する。
【０１０３】
ハウス出入口ｍの上方には図１２（ａ）、（ｂ）、図１４に示すように吊下げガイドレール１１０を敷設している。すなわち、ドア本体Ｍａ，Ｍｂの上縁部が位置する左右縦柱４，４間に、ドア本体Ｍａ，Ｍｂの上面に垂直回動で鼓形状の保持ローラ１１１を軸架して上下スライド自在に収納されるように吊下げガイドレール１１０を取り付けている。
【０１０４】
吊下げガイドレール１１０は図１５、図１７に示すように、下方開口で断面コ字状の両下端縁を、対向するように内側に水平に折曲し、更に、端部を上方に折曲して形成している。そして、対向して折曲した水平部分の互いの内底面に保持ローラ１１１を跨がして収納している。また、吊下げガイドレール１１０は、ハウス出入口ｍの下部に敷設したパイプ状レール６と対向するように配設されている。この吊下げガイドレール１１０は、レールブラケット６０を介して正面枠体２の縦柱４に取付けられている。
【０１０５】
このように、レールブラケット６０を介して縦柱４に固定された吊下げガイドレール１１０の内底面には、上辺フレーム８の上面両端部近傍に垂直回動自在に軸架した保持ローラ１１１，１１１を当接転動可能に収納している。
【０１０６】
具体的には、上辺フレーム８の上面の両端部近傍にボルト孔（図示せず）を各２箇所づつ上辺フレーム８の長手方向に隣接して穿設し、ボルト孔にはＵボルト１１２の湾曲部が上部となるように、しかも鼓形状の保持ローラ１１１の括れ部分がＵボルト１１２の湾曲部に囲繞されるようにして挿貫し、上下方から上下取付ナット４３，４４で固定している。
【０１０７】
このように構成することで、Ｕボルト１１２の湾曲部の内側が軸孔の役割をし、保持ローラ１１１の括れ部分を軸として垂直回動自在となる。従って、ドア本体Ｍは、保持ローラ１１１が吊下げガイドレール１１０内に保持された状態で左右スライド自在に吊戸として機能する。
【０１０８】
このように、上述した載置型や吊戸型のいずれのドア構造１，１００においても、本発明の要旨である取付金具２７を用いることができる。
【０１０９】
なお、本説明中においては取付金具２７をハウス出入口ｍの下方に設置した実施例を示したが、例えば、吊下げガイドレール１１０の代わりにパイプ状レール６を当該位置に設置し、パイプ状レール６の下方に位置するドア本体の上辺フレーム８の上面に鉤型のステーを連設し、ステーの上端部に垂直回動自在の戸車を配設すれば、パイプ状レール６上を戸車が転動可能となり、取付金具２７を吊戸型のドア構造にも適用可能となる。
【０１１０】
以上、本発明の好ましい実施形態について説明したが、本発明は係る特定の実施形態に限定されるものではなく、特許請求の範囲に記載された本発明の要旨の範囲内において、種々の変形・変更が可能である。
【符号の説明】
【０１１１】
Ｈ  ビニールハウス
Ｍ  ドア本体
ｍ  ハウス出入口
４  左・右縦柱
６  パイプ状レール
１５  コロ
２７  取付金具
２８  スペーサ用取付基枠
２９  ブラケット板
３０  前壁
３１  後壁
３２  締付用ボルト
３４  挿貫孔
３５  取付孔
５０  取付環体
５１  合わせ片
５２  ボルト（環体取付ボルト）
【図１】
0006387260.tif 000002
【図２】
0006387260.tif 000003
【図３】
0006387260.tif 000004
【図４】
0006387260.tif 000005
【図５】
0006387260.tif 000006
【図６】
0006387260.tif 000007
【図７】
0006387260.tif 000008
【図８】
0006387260.tif 000009
【図９】
0006387260.tif 000010
【図１０】
0006387260.tif 000011
【図１１】
0006387260.tif 000012
【図１２】
0006387260.tif 000013
【図１３】
0006387260.tif 000014
【図１４】
0006387260.tif 000015
【図１５】
0006387260.tif 000016
【図１６】
0006387260.tif 000017
【図１７】
0006387260.tif 000018